(57)【特許請求の範囲】
【請求項１】
欠損部を有していてシャッタ地板に対して板面が平行になるように取り付けられている支持板と、
前記シャッタ地板と前記支持板との間において前記シャッタ地板に立設された軸に対して回転可能に取り付けられており撮影時には撮影作動開始位置から駆動ばねの付勢力によって回転されシャッタ羽根を作動させる駆動部材と、
ボビンに巻回されその両端を該ボビンに設けられていて前記欠損部に挿入した二つの端子ピンに巻き付けられているコイルと該コイルへの通電によって励磁される鉄芯部材とを有していて前記シャッタ地板と前記支持板との間において前記支持板に取り付けられており撮影時には該鉄芯部材が励磁されると前記駆動部材を吸着保持し所定時間後に消磁されると前記駆動部材を釈放して撮影作動開始位置からの回転を可能にする電磁石と、
前記欠損部よりも小さい大きさに形成されていて前記支持板と厚さ方向に重ならないように該欠損部に配置されており前記コイルの両端に半田付けされているプリント配線板と、を備えていることを特徴とするカメラ用フォーカルプレンシャッタ。
【請求項２】
前記駆動部材と、前記電磁石と、前記プリント配線板とが二つずつ備えられ、前記支持板には前記欠損部が二つ設けられていて、該二つのプリント配線板は、電気的に相互に接続されていることを特徴とする請求項１に記載のカメラ用フォーカルプレンシャッタ。
【発明の詳細な説明】
【技術分野】
【０００１】
本発明は、一眼レフカメラやミラーレス一眼カメラなどに用いられるカメラ用フォーカルプレンシャッタに関する。
【背景技術】
【０００２】
カメラ用フォーカルプレンシャッタの中には、シャッタ羽根を一つだけ備えたものと、先羽根，後羽根などと称されている二つのシャッタ羽根を備えたものがある。そして、前者は、一般的には、露光開口を全開にしたままで撮影を開始し、シャッタ羽根が露光開口を閉じることによって撮影を終了するように構成されている。また、後者は、先羽根が露光開口を開き始めることによって撮影を開始し、後羽根が露光開口を閉じ終わることによって撮影を終了するように構成されているのが一般的であるが、中には、そのようにして行われる撮影と、露光開口を全開にしたままで撮影を開始し、後羽根が露光開口を閉じることによって撮影を終了するようにした撮影とを、撮影のたびに選択できるように構成されたものも知られている。
【０００３】
これらのフォーカルプレンシャッタにおいては、シャッタ羽根は、駆動部材の回転によって作動させられるが、撮影時における駆動部材の駆動源としては、ねじりコイルばね（以下、駆動ばねという）を用いているのが普通である。そのため、撮影が終了すると、駆動部材を駆動ばねの付勢力に抗してセット位置まで回転させ、また、次の撮影が開始される直前においては、駆動部材を駆動ばねの付勢力に抗して撮影作動開始位置に保持しているようにする必要がある。そして、そのように保持するための構成としては、係止タイプと言われているものと、ダイレクトタイプと言われているものがあるが、下記の特許文献１には、二つのシャッタ羽根を備えているダイレクトタイプのフォーカルプレンシャッタが記載されている。
【０００４】
この特許文献１にも記載されているように、従来のダイレクトタイプのフォーカルプレンシャッタは、シャッタ地板に対して板面を平行にして取り付けられた支持板が、シャッタ地板側に電磁石を取り付けていて、反対側にはプリント配線板を重合させている。そして、特許文献１には記載されていないが、プリント配線板には、例えば特開２００２−１３９７７０号公報に記載されているように、単に配線パターンが形成されているだけではなく、コンデンサも搭載されている。また、周知のように、電磁石にはコイルの両端を巻き付けた二つの端子ピンが設けられており、それらをプリント配線板に設けられた孔に貫通させ、コイルの両端とプリント配線板のパターンとを半田付けしている。
【０００５】
他方、特許文献１に記載されているように、駆動部材は、鉄片部材を有していて、シャッタ地板と支持板との間において、シャッタ地板に対して回転可能に取り付けられている。そして、撮影を開始する直前には、電磁石が鉄片部材を吸着して、駆動部材を駆動ばねの付勢力に抗して撮影作動開始位置に保持しており、その後、電磁石が消磁することによって、駆動部材が駆動ばねの付勢力によって回転させられるようになっている。本発明は、従来のこのような構成を改良した、少なくとも一つのシャッタ羽根を備えているダイレクトタイプのフォーカルプレンシャッタに関するものである。
【先行技術文献】
【特許文献】
【０００６】
【特許文献１】特開２００３−６６５０７号公報
【発明の概要】
【発明が解決しようとする課題】
【０００７】
最近では、ミラーレス一眼カメラの出現によって、一眼レフカメラをも含めて一眼カメラの小型化に拍車がかかっており、それらのカメラに内蔵されているフォーカルプレンシャッタについても、ユニット全体の小型化，薄型化についての要求が一段と強くなっている。ところが、これまでにも、かなりの小型化，コンパクト化が行われてきているので、各構成部材のダウンサイズ化は非常に難しくなっており、実際には、０．１ミリ以下のオーダーでの努力が行われている。
【０００８】
ところで、フォーカルプレンシャッタのユニットは、周知のように、シャッタ羽根以外の殆どの構成部材が、シャッタ地板に対し、被写体光路用の開口部の側方にある所定の領域内に集中的に取り付けられている。そのため、その領域のところだけが、シャッタ地板面から極端に高くなっている。従って、ユニットの小型化を図ろうとする場合には、先ずはその高さを何とか低くできないだろうかということになるが、上記のように、これまでにも、各構成部材ごとのダウンサイズ化は行われてきているので、それとは別に、構成上での工夫が必要になっている。
【０００９】
本発明は、このような問題点を解決するためになされたものであり、その目的とするところは、シャッタ地板に板面を平行にして取り付けられている支持板に対し、従来のような、シャッタ地板側に電磁石を取り付け、反対側にプリント配線板を重合させているようにした構成を工夫することによって、シャッタ地板の板面からの高さを低くできるようにした、少なくとも一つのシャッタ羽根を備えているカメラ用フォーカルプレンシャッタを提供することである。
【課題を解決するための手段】
【００１０】
上記の目的を達成するために、本発明のカメラ用フォーカルプレンシャッタは、欠損部を有していてシャッタ地板に対して板面が平行になるように取り付けられている支持板と、前記シャッタ地板と前記支持板との間において前記シャッタ地板に立設された軸に対して回転可能に取り付けられており撮影時には撮影作動開始位置から駆動ばねの付勢力によって回転されシャッタ羽根を作動させる駆動部材と、ボビンに巻回されその両端を該ボビンに設けられていて前記欠損部に挿入した二つの端子ピンに巻き付けられているコイルと該コイルへの通電によって励磁される鉄芯部材とを有していて前記シャッタ地板と前記支持板との間において前記支持板に取り付けられており撮影時には該鉄芯部材が励磁されると前記駆動部材を吸着保持し所定時間後に消磁されると前記駆動部材を釈放して撮影作動開始位置からの回転を可能にする電磁石と、前記欠損部よりも小さい大きさに形成されていて前記支持板と厚さ方向に重ならないように該欠損部に配置されており前記コイルの両端に半田付けされているプリント配線板と、を備えているようにする。
【００１１】
また、本発明のカメラ用フォーカルプレンシャッタは、前記駆動部材と、前記電磁石と、前記プリント配線板とが二つずつ備えられ、前記支持板には前記欠損部が二つ設けられていて、該二つのプリント配線板は、電気的に相互に接続されているようにしてもよい。
【発明の効果】
【００１２】
以上のように、本発明のカメラ用フォーカルプレンシャッタによれば、従来のように、プリント配線板を支持板に重合させるのではなく、支持板に形成された貫通孔などの欠損部にだけ存在するようにしたので、支持板がプリント配線板より厚い場合にはプリント配線板の厚さだけ、また、プリント配線板が支持板より厚い場合には支持板の厚さだけ、シャッタ地板の板面からの高さを低くすることが可能になる。
【図面の簡単な説明】
【００１３】
【図１】実施例の左側の半分弱を示した平面図であって、撮影に際して、後羽根が作動し終わった直後の状態を示したものである。
【図２】各構成部材の重なり関係を理解し易くするために、図１の右側から見て要部だけを示した側面図であって、必要箇所を断面で示したものである。
【図３】図１に示されている二つのプリント配線板を詳細に示すと共に、両者の接続関係を示した図である。
【発明を実施するための形態】
【００１４】
本発明の実施の形態を、図１〜図３に示した実施例によって説明する。尚、実施例は、本発明を、二つのシャッタ羽根を備えたフォーカルプレンシャッタに適用したものであるが、本発明は、一つのシャッタ羽根を備えたフォーカルプレンシャッタにも適用することが可能である。しかしながら、その態様については、特に別の実施例として図示して説明するまでもないので、下記の実施例の説明の中で、必要な事項についてだけ説明することにする。
【００１５】
そして、本実施例の説明に用いられる図１は、本実施例のフォーカルプレンシャッタがカメラに組み込まれたとき、撮影レンズ側から見て左側の半分弱を示した平面図であって、撮影に際して、後羽根が作動し終わった直後の状態を示したものである。また、図２は、図１に示されている各構成部材の重なり関係を理解し易くするために、図１の右側から見て要部だけを示した側面図であって、必要と思われる箇所を断面で示したものである。更に、図３は、図１に示されている二つのプリント配線板を詳細に示すと共に、両者の接続関係を示した図である。
【００１６】
尚、本実施例の説明においては、上記のように、本実施例のフォーカルプレンシャッタがカメラに組み込まれたとき、図１の手前側に撮影レンズが配置されていることを前提にしているが、周知のように、デジタルカメラに組み込まれるときには、背面側に撮影レンズが配置されているようにすることもある。
【００１７】
そこで先ず、本実施例の構成を説明する。図１において、合成樹脂製のシャッタ地板１には、その略中央部に、露光開口を規制するための長方形を横長にした開口部１ａが形成されている。しかし、図１は撮影レンズ側から見て左側の半分弱の部分だけを示したものであるから、その開口部１ａについても、左側の一部だけが示されている。
【００１８】
図２から分かるように、シャッタ地板１の背面側には、所定の間隔を空けて、中間板２と補助地板３が順に取り付けられており、シャッタ地板１と中間板２との間に後羽根の羽根室を構成し、中間板２と補助地板３との間に先羽根の羽根室を構成している。また、周知であるため図示していないが、中間板２と補助地板３にも、開口部１ａと重なるところに、開口部１ａと類似の形状をしていて、開口部１ａよりも若干大きな開口部が形成されている。
【００１９】
図１において、開口部１ａの左側には、円弧状の二つの長孔１ｂ，１ｃが形成されており、それらの下方端部には、平面形状がＣ字状をしている周知の緩衝部材４，５が取り付けられている。また、シャッタ地板１には、長孔１ｂ，１ｃの近傍位置に二つの柱１ｄ，１ｅが立設されており、それらの先端面には、金属製の支持板６が、その板面をシャッタ地板１と平行になるようにして、ねじ７，８によって取り付けられている。
【００２０】
この支持板６には、長方形をした比較的大きな二つの孔６ａ，６ｂが形成されているほか、複数の円形をした孔や複数の折曲部が形成されているが、それらについては、下記の説明で順に理解できるようにする。尚、長方形をした二つの孔６ａ，６ｂは、本発明の欠損部に相当するものであるが、本発明の欠損部は、このように孔として形成されたものに限定されるものではなく、それらの孔６ａ，６ｂの一部が支持板６の外縁に湾状に開いた切欠き部として形成されていてもよく、また、孔として形成される場合でも、その形状は長方形に限定されない。
【００２１】
シャッタ地板１には、軸１ｆ，１ｇが立設されている。これらの軸１ｆ，１ｇは、金属製であって、図２に示されている軸１ｇの場合で分かるように、シャッタ地板１に形成された孔に圧入されており、支持板６側の先端に小径部１ｆ−１，１ｇ−１を有し、反対側には補助地板３側に突き出た軸部１ｆ−２，１ｇ−２を有している。そして、小径部１ｆ−１，１ｇ−１の先端は、支持板６に形成された円形の孔６ｃ，６ｄに挿入されている。また、軸部１ｆ−２，１ｇ−２の先端は、合成樹脂製の補助地板３に形成された貫通していない孔に挿入されているが、図２においては、それらの孔のうち、軸部１ｇ−２の挿入されている孔３ａが示されている。
【００２２】
また、シャッタ地板１には、支持板６側に軸１ｈが立設されている。この軸１ｈは金属製であり、図２に示されているように、シャッタ地板１に対してかしめ加工で固定されており、先端の小径部１ｈ−１を、支持板６の円形の孔６ｅに挿入している。更に、シャッタ地板１の補助地板３側には、軸１ｉ，１ｊが立設されている。これらの軸１ｉ，１ｊは、金属製であり、図２に示された軸１ｊの場合で分かるように、シャッタ地板１に形成された孔に対して圧入されている。そして、それらの先端は、補助地板３に形成された貫通していない孔に挿入されているが、図２においては、それらの孔のうち、軸１ｊの挿入された孔３ｂが示されている。
【００２３】
支持板６に形成されている折曲部６ｆ，６ｇ，６ｈは、それらの弾性を利用して先羽根用電磁石９を取り付けるためのものであり、折曲部６ｉ，６ｊ，６ｋは、それらの弾性を利用して後羽根用電磁石１０を取り付けるためのものであるが、それらの取付け構成は公知であるため、詳しい説明を省略する。また、それらの二つの電磁石９，１０は、鉄芯部材９ａ，１０ａと、ボビン９ｂ，１０ｂと、コイル９ｃ，１０ｃとで構成されている。
【００２４】
そして、先羽根用電磁石９のボビン９ｂに一体的に成形されている二つの端子ピン９ｄ，９ｅは、コイル９ｃの両端を巻き付けていて、支持板６に形成されている長方形をした上記の孔６ａを貫通し、撮影レンズ側に突き出ている。また、後羽根用電磁石１０のボビン１０ｂに一体的に成形されている二つの端子ピン１０ｄ，１０ｅは、コイル１０ｃの両端を巻き付けていて、支持板６に形成されている長方形をした上記の孔６ｂを貫通し、撮影レンズ側に突き出ている。
【００２５】
また、支持板６に形成されている折曲部６ｍ，６ｎは、後述するラチェット部材２１，２４の回転止めを行なうために、弾性を有するラチェット爪として形成されたものであって、いずれも二つの爪部を有しているが、図２においては、それらのうち、折曲部６ｎに形成された二つの爪部６ｎ−１，６ｎ−２が示されている。
【００２６】
支持板６に形成されている長方形をした上記の孔６ａ，６ｂには、それらの孔よりも一回り小さな長方形をしたプリント配線板１１，１２が配置されている。本実施例の場合、これらのプリント配線板１１，１２は、フレキシブルプリント配線板であって、図２に示されているプリント配線板１２からも分かるように、支持板６の厚さと略同じ厚さをしている。そのため、本実施例の構成は、従来の支持板とプリント配線板を重ね合わせた構成に比較して、プリント配線板１１，１２の厚さ分だけ薄くなり、シャッタ地板１から、支持板６の撮影レンズ側の面までの高さが低くなっている。
【００２７】
尚、本実施例のプリント配線板１１，１２としては、フレキシブルプリント配線板を用いているが、本発明のプリント配線板は、フレキシブルプリント配線板に限定されるものではなく、硬質のプリント配線板であってもよい。硬質のプリント配線板の場合は、プリント配線板の厚さが、支持板６の厚さよりも厚くなる場合があるが、その場合であっても、従来のように支持板とプリント配線を重ね合わせた構成に比較して、全体としては、プリント配線板１１，１２の厚さ分だけ薄くなり、局部的には支持板６の厚さ分だけ薄くなって、シャッタ地板１から、支持板６の撮影レンズ側の面までの高さは低くなる。
【００２８】
ところで、図１においては、プリント配線板１１，１２の外形が示されているだけである。そこで、図３を用い、配線関係も含めて、本実施例におけるプリント配線板１１，１２の構成を詳細に説明する。プリント配線板１１，１２には、それらの長手方向の両端近傍に、各々、上記の二つの端子ピン９ｄ，９ｅ、１０ｄ，１０ｅを貫通させるための円形をした二つ孔１１ａ，１１ｂ、１２ａ，１２ｂが形成されている。そして、それらのプリント配線板１１，１２には、孔１１ａと孔１１ｂとの間の略中間位置、及び孔１２ａと孔１２ｂとの間の略中間位置で分断された直線状の配線パターンが形成されていて、それらの分断された位置に、チップ部品であるコンデンサ１３，１４が配置され、両側の配線パターンに半田付けされている。
【００２９】
そして、一方のプリント配線板１１には、孔１１ａとコンデンサ１３との間から分岐した配線パターンに、電源の陽極に接続されたリード線１５が半田付けされており、また、孔１１ｂとコンデンサ１３との間から分岐した配線パターンに、電源の陰極に接続されたリード線１６と、他方のプリント配線板１２との間に接続されるリード線１７とが半田付けされている。他方、プリント配線板１２には、孔１２ａとコンデンサ１４との間から分岐した配線パターンに、上記のリード線１７が半田付けされており、また、孔１２ｂとコンデンサ１４との間から分岐した配線パターンに、電源の陽極に接続されたリード線１８が半田付けされている。
【００３０】
そして、これらのプリント配線板１１，１２は、図３に示されているように、リード線１５，１６，１７，１８を接続しておいてから、それらの孔１１ａ，１１ｂ、１２ａ，１２ｂを端子ピン９ｄ，９ｅ、１０ｄ，１０ｅに嵌合させ、それらの嵌合箇所で半田付けされている。また、リード線１５，１６，１７は、支持板６の孔６ａの縁との間の隙間からシャッタ地板１側に引き回され、リード線１７，１８は、支持板６の孔６ｂの縁との間の隙間からシャッタ地板１側に引き回されている。その結果、コンデンサ１３，１４は、上記の各々の電磁石９，１０のコイル９ｃ，１０ｃに対して、並列に接続されていることになる。
【００３１】
尚、このようにコンデンサ１３，１４を接続している理由は、周知のように、後述する撮影時の作動において、各電磁石９，１０のコイル９ｃ，１０ｃへの通電が断たれたときに発生する逆起電力を吸収し、各シャッタ羽根の作動開始のタイミングが安定して得られるようにするためと、その逆起電力によって図示していない電子回路が損傷したり耐久性が損なわれないようにするためである。また、本実施例においては、プリント配線板１１，１２に、コンデンサ１３，１４だけしか搭載していないが、本発明は、このような構成に限定されるものではなく、配線パターンを変えることによって、他の電子部品を搭載できるようにしても構わない。
【００３２】
また、本実施例の場合には、リード線１５，１６，１７，１８が、プリント配線板１１，１２とは別の部材として構成されているが、それらを、本実施例のプリント配線板１１，１２と共に一つのフレキシブルプリント配線板として構成し、長方形をした上記の孔６ａ，６ｂに配置されている部位以外は、孔６ａ，６ｂの縁との間の隙間からシャッタ地板１側に引き回されているようにしてもよい。そして、そのように構成する場合には、本実施例におけるコンデンサ１３，１４は、シャッタ地板１側に引き回された部位に搭載するようにしてもよい。
【００３３】
次に、シャッタ地板１の支持板６側において、上記の軸１ｆ，１ｇ，１ｈに取り付けられている部材を順に説明する。先ず、軸１ｆには、先羽根用駆動部材１９が回転可能に取り付けられている。この先羽根用駆動部材１９は、合成樹脂製であって、被押動部１９ａと、駆動ピン１９ｂと、取付部１９ｃとを有している。
【００３４】
それらのうち、先羽根用駆動部材１９のシャッタ地板１側に立設された駆動ピン１９ｂは、断面形状が小判型をしており、シャッタ地板１の長孔１ｂを貫通して、その先端を補助地板３の図示していない円弧状の長孔（長孔１ｂと略同じ形状）に挿入している。そして、この駆動ピン１９ｂは、根元側の部位が、上記の緩衝部材４に当接するようになっており、先端側の部位が、後述するようにして、羽根室内で先羽根に連結されている。また、支持板６側に部厚く形成されている取付部１９ｃは、その内部に、図示していない圧縮ばねを介在させて鉄片部材２０を取り付けているが、その具体的な取付け構成は周知であって、且つ本発明とは直接関係がないので、詳細な説明を省略する。
【００３５】
このような先羽根用駆動部材１９のほか、軸１ｆには、その先端に形成された小径部１ｆ−１に、ラチェット部材２１が回転可能に取り付けられており、その外周面に形成されたラチェット歯には、支持板６に形成された上記の折曲部６ｍが係合している。また、そのラチェット部材２１と先羽根用駆動部材１９との間には、図示していない周知の先羽根用駆動ばねが掛けられている。しかしながら、それらのラチェット部材２１と図示していない先羽根用駆動ばねの構成は、図２を用いて以下に説明するラチェット部材２３と後羽用駆動ばね２５の構成と実質的に同じである。従って、その説明によって、ラチェット部材２１と図示していない先羽根用駆動ばねの構成も理解することができるため、ここでは、それらについての説明を省略する。
【００３６】
シャッタ地板１の軸１ｇには、後羽根用駆動部材２２が回転可能に取り付けられている。この後羽根用駆動部材２２も、上記の先羽根用駆動部材１９と同様に、合成樹脂製であって、被押動部としてのローラー２２ａを取り付けているほか、駆動ピン２２ｂと取付部２２ｃとを有している。
【００３７】
それらのうち、シャッタ地板１側に立設されている駆動ピン２２ｂは、断面形状が小判型をしていて、シャッタ地板１の長孔１ｃを貫通し、その先端を補助地板３の円弧状の長孔３ｃ（図２参照）に挿入している。そして、この駆動ピン２２ｂは、根元側の部位が、上記の緩衝部材５に当接するようになっていて、先端側の部位が、後述するようにして、羽根室内で後羽根に連結されている。また、支持板６側に部厚く形成されている取付部２２ｃは、その内部に、図示していない圧縮ばねを介在させて鉄片部材２３を取り付けているが、その具体的な取付け構成は、上記の鉄片部材２０の場合と同じであり、且つ周知である。そのため、説明を省略する。
【００３８】
このような構成をした後羽根用駆動部材２２のほか、軸１ｇには、先端に形成されている上記の小径部１ｇ−１に、ラチェット部材２４が回転可能に取り付けられている。そして、断面で示されている図２から分かるように、このラチェット部材２４には、外周面にラチェット歯が２段に形成されていて、支持板６側の１段目のラチェット歯には、上記の折曲部６ｎの爪部６ｎ−１が係合し、シャッタ地板１側の２段目のラチェット歯には、爪部６ｎ−２が係合するようになっているが、１段目のラチェット歯と２段目のラチェット歯は、半ピッチだけ位相をずらせて形成されているため、それらの爪部６ｎ−１，６ｎ−２は、交互に各々のラチェット歯に係合するようになっている。
【００３９】
また、図２に示されているように、ラチェット部材２４と後羽根用駆動部材２２との間には周知の後羽根用駆動ばね２５が掛けられていて、図１において、ラチェット部材２４は反時計方向へ回転し、後羽根用駆動部材２２は時計方向へ回転するように付勢されている。しかしながら、ラチェット部材２４は、製作時などにおいて後羽根用駆動ばね２５の付勢力を調整するときに回転させるものであるから、カメラを使用するときには、２段に形成されているラチェット歯のいずれか一方が、常に二つの爪部６ｎ−１，６ｎ−２のいずれかに係合していて、回転させられることはない。
【００４０】
シャッタ地板１の軸１ｈには、合成樹脂製のセット部材２６が回転可能に取り付けられている。このセット部材２６は、図示していない復帰ばねの付勢力によって、図１において反時計方向へ回転するように付勢されているが、図１は、その回転を、図示していないストッパによって阻止されている状態を示したものである。そこで、後述の作動説明においては、セット部材２６のこの位置を、初期位置ということにする。そして、このセット部材２６は、押動部２６ａ，２６ｂと被押動部２６ｃとを有していて、図１において時計方向へ回転させられたとき、押動部２６ａが先羽根用駆動部材１９の被押動部１９ａを押し、押動部２６ｂが後羽根用駆動部材２２のローラー２２ａを押すようになっている。
【００４１】
最後に、各々の羽根室に配置されている先羽根と後羽根を説明する。本実施例の先羽根と後羽根は、例えば、特開２００２−１４８６７９号公報などで周知のように、全く同じ構成をしている。そして、シャッタ地板１に取り付けるときは、後羽根は先羽根を裏返した状態にして取り付けている。そして、図１において、それらの構成を全て示そうとすると、図面が非常に見にくくなるし、それらの構成自体は、本発明とは直接関係がない。そのため、図１においては、先羽根の図示を省略し、後羽根については、開口部１ａから見える範囲内で示している。そこで、ここでは、図１を用いて、後羽根の構成から順に、それらの構成を説明する。
【００４２】
本実施例の後羽根は、軸１ｇに設けられた上記の軸部１ｇ−２に対し一端を回転可能に取り付けられたアーム２７と、軸１ｊに対し一端を回転可能に取り付けられたアーム２８と、それらのアーム２７，２８の両方に対しそれらの先端に向けて順に枢支された４枚の羽根２９，３０，３１，３２とで構成されている。そして、二つのアーム２７，２８は、４枚の羽根２９，３０，３１，３２よりもシャッタ地板１側に配置されている。また、アーム２７に形成されている図示していない周知の孔には、上記の後羽根用駆動部材２２の駆動ピン２２ｂが嵌合している。そのため、この後羽根は、図１の状態から後羽根用駆動部材２２が反時計方向へ回転すると、４枚の羽根２９，３０，３１，３２が相互の重なり量を大きくしながら開口部１ａの上方へ作動し、重畳状態となって開口部１ａの上方に格納されるようになっている。
【００４３】
他方、図示していない先羽根は、上記の後羽根と全く同じ構成をしているが、後羽根を裏返した状態、即ち、図１の縦方向に１８０度回転させ、二つのアームが４枚の羽根よりも補助地板３側になる状態にし、二つのアームの一端が、軸１ｆの軸部１ｆ−２と軸１ｉに対して、回転可能に取り付けられている。また、軸部１ｆ−２に取り付けられている方のアームに形成されている周知の孔には、上記の先羽根用駆動部材１９の駆動ピン１９ｂが嵌合している。そして、図示していないこの先羽根は、図１の状態においては、４枚の羽根が重畳状態になって開口部１ａの下方に格納されているが、先羽根用駆動部材１９が反時計方向へ回転すると、４枚の羽根は相互の重なり量を少なくしながら上方へ作動し、展開状態になって開口部１ａを覆うようになっている。
【００４４】
次に、このように構成されている本実施例の作動を説明する。図１は、露光作動終了直後の状態を示している。そのため、先羽根用駆動部材１９は、図示していない先羽根用駆動ばねの付勢力によって時計方向へ回転させられ、駆動ピン１９ｂを緩衝部材４に当接させて停止させられた状態を維持している。そして、このとき、図示していない先羽根の４枚の羽根は、相互の重なり量を最大にした重畳状態にされて、開口部１ａの下方位置に格納されている。他方、後羽根用駆動部材２２は、後羽根用駆動ばね２５の付勢力によって時計方向へ回転させられ、駆動ピン２２ｂを緩衝部材５に当接させて停止させられた状態を維持している。そして、後羽根の４枚の羽根２９，３０，３１，３２は、相互の重なり量を最小にした展開状態にされ、開口部１ａを覆っている。
【００４５】
この図１の状態からセット作動が行われるが、そのセット作動は、図示していないカメラ本体側の部材がセット部材２６の被押動部２６ｃを押し、図示していない復帰ばねの付勢力に抗してセット部材２６を時計方向へ回転させることによって開始される。そして、そのセット作動において、セット部材２６は、先ず、押動部２６ａが先羽根用駆動部材１９の被押動部１９ａを押すことによって、図示していない先羽根用駆動ばねの付勢力に抗して先羽根用駆動部材１９を反時計方向へ回転させていく。そのため、図示していない先羽根の４枚の羽根は、相互の重なり量を少なくしながら上方へ作動していく。
【００４６】
そして、先羽根の４枚の羽根のうち二つのアームの最先端に枢支されているスリット形成羽根が、後羽根のスリット形成羽根である羽根３２に対して所定量だけ重なると、セット部材２６は、押動部２６ｂによってローラー２２ａを押し始め、後羽根用駆動ばね２５の付勢力に抗して後羽根用駆動部材２２を反時計方向へ回転させるようになる。そのため、後羽根用駆動部材２２の駆動ピン２２ｂがアーム２７を反時計方向へ回転させので、後羽根の４枚の羽根２９，３０，３１，３２は、相互の重なり量を大きくしながら、図示していない先羽根の４枚の羽根と共に上方へ作動していく。
【００４７】
このようにして、先羽根用駆動部材１９と後羽根用駆動部材２２とが、共に反時計方向へ回転されてゆき、後羽根の４枚の羽根２９，３０，３１，３２が開口部１ａの上方へ退き、図示していない先羽根の４枚の羽根が開口部１ａを覆い終わると、その直後に、二つの駆動部材１９，２２に取り付けられている鉄片部材２２，２３が、二つの電磁石９，１０の鉄芯部材９ａ，１０ａに接触するようになる。そして、その段階になると、セット部材２６は、回転を停止させられ、次の撮影が行なわれるまでは初期位置に復帰せず、その状態を維持させられる。その状態が、セット完了状態、即ち次の撮影待機状態であり、このとき、後羽根の４枚の羽根２９，３０，３１，３２は、重畳状態となって開口部１ａの上方位置に格納され、図示していない先羽根の４枚の羽根は、展開状態となって開口部１ａを覆っていることになる。
【００４８】
次の撮影に際して、カメラのレリーズボタンを押すと、先ず、リード線１５，１６，１７，１８を介して、二つの電磁石９，１０のコイル９ｃ，１０ｃに通電され、鉄芯部材９ａ，１０ａが鉄片部材２０，２３を吸着保持する。次に、図示していないカメラ本体側の部材が、セット部材２６の被押動部２６ｃから退いていくので、セット部材２６は、図示していない復帰ばねの付勢力によって反時計方向へ回転し、初期位置へ復帰する。
【００４９】
その後、最初に先羽根用電磁石９のコイル９ｃに対する通電が断たれ、所定時間後に後羽根用電磁石１０のコイル１０ｃに対する通電が断たれるため、先羽根用駆動部材１９は、図示していない先羽根用駆動ばねの付勢力により、また、後羽根用駆動部材２２は、後羽根用駆動ばね２２の付勢力によって、相次いで時計方向へ急速に回転させられる。それによって、駆動ピン１９ｂ，２２ｂが、先羽根と後羽根のアームを時計方向へ回転させるので、図示していない先羽根のスリット形成羽根と後羽根のスリット形成羽根３２とで形成されるスリットにより、結像面に露光が行なわれていくが、その過程で、先羽根の４枚の羽根は、相互の重なり量を大きくしてゆき、後羽根の４枚の羽根は、相互の重なり量を少なくしていく。
【００５０】
そして、先に露光作動を開始した先羽根用駆動部材１９は、図示していない４枚の羽根が開口部１ａの下辺から下方へ退いた直後に、駆動ピン１９ｂが緩衝部材４に当接することによって停止させられる。他方、先羽根用駆動部材１９よりも遅れて露光作動を開始した後羽根用駆動部材２２は、後羽根のスリット形成羽根３２の下方の縁が露光開口１ａの下辺よりも下方に達した直後に、駆動ピン２２ｂが緩衝部材５に当接することによって停止させられる。それにより、図示していない先羽根の４枚の羽根は、開口部１ａの下方で重畳状態になり、後羽根の４枚の羽根２９，３０，３１，３２は、開口部１ａを覆った展開状態になる。
【００５１】
図１は、このようにして露光作動が終了した状態を示したものであるが、本実施例のフォーカルプレンシャッタがデジタルカメラに採用された場合には、この後、上記の露光作動で撮像素子に蓄積されている電荷を、撮像情報として記憶装置に記憶させることによって、撮影が終了したことになる。従って、上記のセット作動は、その後に行われることになる。
【００５２】
尚、本実施例は、二つのシャッタ羽根を備えたダイレクトタイプのフォーカルプレンシャッタとして構成したものであるが、本発明は、このような構成に限定されるものではなく、一つのシャッタ羽根を備えたダイレクトタイプのフォーカルプレンシャッタとして構成してもよい。そのような構成は、例えば、本実施例における、先羽根用電磁石９，プリント配線板１１，先羽根用駆動部材１９，ラチェット部材２１，図示していない先羽根用駆動ばね，図示していない先羽根などの先羽根系にのみ用いられる部材を取り外すと共に、それに伴って、シャッタ地板１や支持板６などの形状を一部変形させることによって得ることが可能になる。そして、そのように構成されたフォーカルプレンシャッタは、周知のように、デジタルカメラにだけ採用可能になる。
【符号の説明】
【００５３】
１                            シャッタ地板
１ａ                          開口部
１ｂ，１ｃ，３ｃ              長孔
１ｄ，１ｅ                    柱
１ｆ，１ｇ，１ｈ，１ｉ，１ｊ  軸
１ｆ−１，１ｇ−１，１ｈ−１  小径部
１ｆ−２，１ｇ−２            軸部
２                            中間板
３                            補助地板
４，５                        緩衝部材
６                            支持板
６ａ，６ｂ，６ｃ，６ｄ，６ｅ  孔
６ｆ，６ｇ，６ｈ，６ｉ，６ｊ，６ｋ，６ｍ，６ｎ  折曲部
６ｎ−１，６ｎ−２            爪部
７，８                        ねじ
９                            先羽根用電磁石
９ａ，１０ａ                  鉄芯部材
９ｂ，１０ｂ                  ボビン
９ｃ，１０ｃ                  コイル
９ｄ，９ｅ，１０ｄ，１０ｅ    端子ピン
１０                          後羽根用電磁石
１１，１２                    プリント配線板
１３，１４                    コンデンサ
１５，１６，１７，１８        リード線
１９                          先羽根用駆動部材
１９ａ，２６ｃ                被押動部
１９ｂ，２２ｂ                駆動ピン
１９ｃ，２２ｃ                取付部
２０，２３                    鉄片部材
２１，２４                    ラチェット部材
２２                          後羽根用駆動部材
２２ａ                        ローラー
２５                          後羽根用駆動ばね
２６                          セット部材
２６ａ，２６ｂ                押動部
２７，２８                    アーム
２９，３０，３１              羽根
【図１】
0005829899.tif 000002
【図２】
0005829899.tif 000003
【図３】
0005829899.tif 000004